(57)【要約】【課題】  本発明は、スタンドを容易に切り替えできる構成として、作業能率の向上を図ることを課題とする。【解決手段】  圃場に移植物を植え付ける植付具を左右に３個以上の複数条分配列し、植付具で植え付けた移植物の周辺の土壌を鎮圧する鎮圧具（３７）と、鎮圧具（３７）を上下動自在に支持する鎮圧具支持フレーム（３９）とを、植付具に対応して左右に複数条分配列し、接地部（７７ｃ）を下降させて接地させた機体を支持する作用状態と接地部（７７ｃ）を上昇させて対地浮上させた収納状態とに切替可能なスタンドを設け、接地部（７７ｃ）は、前記収納状態で左右中央条の鎮圧具支持フレーム（３９）の下方位置から左右一方の最外条の鎮圧具支持フレーム（３９）の下方位置にわたる左右方向に長い構成とした移植機とした。【選択図】図６
2014147316.tif 000002
【特許請求の範囲】
【請求項１】
圃場に移植物を植え付ける植付具（２０）を左右に３個以上の複数条分配列し、植付具（２０）で植え付けた移植物の周辺の土壌を鎮圧する鎮圧具（３７）と、鎮圧具（３７）を上下動自在に支持する鎮圧具支持フレーム（３９）とを、植付具（２０）に対応して左右に複数条分配列し、接地部（７７ｃ）を下降させて接地させた機体を支持する作用状態と接地部（７７ｃ）を上昇させて対地浮上させた収納状態とに切替可能なスタンド（７７ａ）を設け、接地部（７７ｃ）は、前記収納状態で左右中央条の鎮圧具支持フレーム（３９）の下方位置から左右一方の最外条の鎮圧具支持フレーム（３９）の下方位置にわたる左右方向に長い構成とした移植機。
【請求項２】
接地部（７７ｃ）は、前記収納状態で左右他方の最外条の鎮圧具支持フレーム（３９）の下方には位置しない構成とした請求項１に記載の移植機。
【請求項３】
植付具（２０）へ移植物として苗を供給する苗供給装置（６）を設け、苗供給装置（６）は、ループ状に連結される複数の苗収容体（２２）と、苗収容体（２２）を周回させる移動機構と、植付具（２０）の上方位置で苗収容体（２２）の底部を開放して苗を落下供給する開放機構とを備え、機体平面視で複数の苗収容体（２２）の周回経路の内側には、予備の苗を収容可能な予備苗収容容器（５０）を設け、予備苗収容容器（５０）には、苗を切断処理する切断装置（５１）を設けた請求項１又は請求項２に記載の移植機。
【請求項４】
予備苗収容容器（５０）は、苗の収容スペースを囲む外周壁（５０ａ）を備え、外周壁（５０ａ）部分に切断装置（５１）で切断処理する苗を保持する保持部（５２）を設け、切断装置（５１）は、保持部（５２）で保持された苗を切断する切断刃（５３）と、切断刃（５３）を作動させる切断操作具（５４）とを備え、切断刃（５３）の刃先は、切断刃（５３）の作動状態に拘らず外周壁（５０ａ）の上端よりも上側に突出しない構成とした請求項３に記載の移植機。
【発明の詳細な説明】
【技術分野】
【０００１】
本発明は、移植機に関するものである。
【背景技術】
【０００２】
移植物として玉ねぎなどの野菜の苗を移植する移植機において、圃場に苗を植え付ける植付具を左右に３個以上（４個）の複数条分（４条分）配列し、植付具で植え付けた苗の周辺の土壌を鎮圧する鎮圧具となる鎮圧輪と、鎮圧輪を上下動自在に支持する鎮圧具支持フレームとを、植付具に対応して左右に複数条分（４条分）配列した多条植え（４条植え）の構成が知られている（特許文献１参照）。
【０００３】
また、野菜の苗を移植する移植機において、接地部を下降させて接地させた機体を支持する作用状態と接地部を上昇させて対地浮上させた収納状態とに切替可能なスタンドを設け、接地部は、前記収納状態で鎮圧具支持フレームの下方に位置する構成が知られている（特許文献２参照：図１７、図１８及び図２１等）。
【先行技術文献】
【特許文献】
【０００４】
【特許文献１】特開２００６−３２０２１２号公報
【特許文献２】特開２０１２−５０３５２号公報
【発明の概要】
【発明が解決しようとする課題】
【０００５】
本発明は、スタンドを容易に切り替えできる構成として、作業能率の向上を図ることを課題とする。
【課題を解決するための手段】
【０００６】
上記課題を解決するべく、次の技術的手段を講じた。
すなわち、請求項１に係る発明は、圃場に移植物を植え付ける植付具（２０）を左右に３個以上の複数条分配列し、植付具（２０）で植え付けた移植物の周辺の土壌を鎮圧する鎮圧具（３７）と、鎮圧具（３７）を上下動自在に支持する鎮圧具支持フレーム（３９）とを、植付具（２０）に対応して左右に複数条分配列し、接地部（７７ｃ）を下降させて接地させた機体を支持する作用状態と接地部（７７ｃ）を上昇させて対地浮上させた収納状態とに切替可能なスタンド（７７ａ）を設け、接地部（７７ｃ）は、前記収納状態で左右中央条の鎮圧具支持フレーム（３９）の下方位置から左右一方の最外条の鎮圧具支持フレーム（３９）の下方位置にわたる左右方向に長い構成とした移植機とした。
【０００７】
また、請求項２に係る発明は、接地部（７７ｃ）は、前記収納状態で左右他方の最外条の鎮圧具支持フレーム（３９）の下方には位置しない構成とした請求項１に記載の移植機とした。
【０００８】
また、請求項３に係る発明は、植付具（２０）へ移植物として苗を供給する苗供給装置（６）を設け、苗供給装置（６）は、ループ状に連結される複数の苗収容体（２２）と、苗収容体（２２）を周回させる移動機構と、植付具（２０）の上方位置で苗収容体（２２）の底部を開放して苗を落下供給する開放機構とを備え、機体平面視で複数の苗収容体（２２）の周回経路の内側には、予備の苗を収容可能な予備苗収容容器（５０）を設け、予備苗収容容器（５０）には、苗を切断処理する切断装置（５１）を設けた請求項１又は請求項２に記載の移植機とした。
【０００９】
また、請求項４に係る発明は、予備苗収容容器（５０）は、苗の収容スペースを囲む外周壁（５０ａ）を備え、外周壁（５０ａ）部分に切断装置（５１）で切断処理する苗を保持する保持部（５２）を設け、切断装置（５１）は、保持部（５２）で保持された苗を切断する切断刃（５３）と、切断刃（５３）を作動させる切断操作具（５４）とを備え、切断刃（５３）の刃先は、切断刃（５３）の作動状態に拘らず外周壁（５０ａ）の上端よりも上側に突出しない構成とした請求項３に記載の移植機とした。
【発明の効果】
【００１０】
請求項１に係る発明によると、接地部（７７ｃ）を少なくとも左右中央条の位置に配置することにより、スタンド（７７ａ）が機体の重心近くの左右位置で確実に機体を支持できる構成としながら、スタンド（７７ａ）の収納状態で接地部（７７ｃ）が左右一方の最外条の鎮圧具支持フレーム（３９）の下方位置にわたるので、作業者は、機体の前記左右一方側から接地部（７７ｃ）を操作してスタンド（７７ａ）を作用状態に容易に切り替えることができ、作業能率の向上が図れる。
【００１１】
請求項２に係る発明によると、請求項１に係る発明の効果に加えて、接地部（７７ｃ）が左右方向に長くなりすぎないので、スタンド（７７ａ）による機体の支持が地面の凹凸等によりかえって不安定になることを防止できる。
【００１２】
請求項３に係る発明によると、請求項１又は請求項２に係る発明の効果に加えて、苗収容体（２２）の近くに配置された予備苗収容容器（５０）及び切断装置（５１）により苗を切断処理して苗収容体（２２）へ容易に補給できるので、苗切断処理作業性及び苗補給作業性が向上し、移植作業能率の向上が図れる。
【００１３】
請求項４に係る発明によると、請求項３に係る発明の効果に加えて、苗切断処理作業や苗収容体（２２）へ苗補給作業において、切断刃（５３）により作業者が怪我をすることが防止され、作業の安全性が向上する。
【図面の簡単な説明】
【００１４】
【図１】苗移植機の側面図
【図２】苗移植機の平面図
【図３】苗移植機の一部を示す正面図
【図４】容器支持部の正面図
【図５】スタンドを示す斜視図
【図６】鎮圧輪支持フレームと収納状態のスタンドとの位置関係を判り易く示す平面図
【図７】ローリング用アクチュエータの周辺構造を示す平面図
【図８】切断装置を示す正面図
【発明を実施するための形態】
【００１５】
この発明の実施の一形態を、以下に説明する。尚、以下の実施の形態は、あくまで実施の一形態であって、特許請求の範囲を拘束するものではない。
移植機は、移植物として野菜苗であるたまねぎの苗を移植する苗移植機であり、機体を前進走行可能とする走行車体４と、該走行車体４の後部に設けた歩行操縦用の操縦ハンドル２と、圃場に苗を植付ける苗植付装置５と、該苗植付装置５に苗を供給する苗供給装置６を備えた構成としている。
【００１６】
走行車体４は、エンジン３と、該エンジン３の動力が伝達されて駆動回転する左右一対の駆動車輪である後輪７と、該後輪７の前方に転動自在に支持した左右一対の前輪８とを備えたものとしている。
【００１７】
エンジン３の後側にはミッションケース９を配置し、そのミッションケース９は、その左側部からエンジン３の左側方に延びるケース部分を有し、これがエンジン３の左側部と連結している。このケース部分にエンジン３の出力軸が入り込んでミッションケース９内の伝動機構に動力が伝達する構成となっている。ミッションケース９の左右両側部には、前後に長い走行用の伝動ケース１０の前部を回動自在に取り付けている。具体的には、走行用の伝動ケース１０の前部の機体内側部に、該伝動ケース１０と一体回転可能に設けたアクスルケース１１を設け、このアクスルケース１１をミッションケース９の左右両側部
に回動自在に取付けて、走行用の伝動ケース１０をミッションケース９の左右両側部に対して回動自在に取付けている。アクスルケース１１は、畝幅に対応して左右に伸縮調節可能に設けている。そして、この走行用の伝動ケース１０の後部側方に突出させた車軸１２に後輪７を装着している。伝動ケース１０の前部の回動軸心位置には、ミッションケース９から左右両外側方に延出させた車輪駆動軸の先端が入り込んで、ミッションケース９内の走行部系変速伝動部を経た走行用の動力が伝動ケース１０内の伝動機構に伝達している。そして、走行用の動力は伝動ケース１０内の伝動機構を介して、伝動ケース１０の後端側の車軸１２に伝動し、後輪７が駆動回転するようになっている。
【００１８】
ミッションケース９内に設けた左右それぞれのサイドクラッチにより、左右各々の後輪７の駆動を断つことができる構成になっている。したがって、機体を旋回させるときには、前記サイドクラッチにより旋回内側となる左右一方の後輪７を非駆動状態にしてスム−ズに旋回できるようになっている。
【００１９】
走行用の伝動ケース１０には、該伝動ケース１０の前部側を回動支点として後輪７を上下させるよう上下回動する駆動手段が連結している。具体的には、伝動ケース１０のミッションケース９への取付部には、上方に延びるアーム１３を一体的に取り付けていて、これがミッションケース９に固定された昇降用油圧シリンダのピストンロッド先端に取り付けた連結体の左右両側部と連結している。左右一方側（右側）は、ロッドで連結し、他方側（左側）は、機体の傾斜に応じて伸縮作動可能な左右水平制御用の油圧シリンダであるローリング用アクチュエータ１１０で連結している。
【００２０】
昇降用油圧シリンダが作動してそのピストンロッドが機体後方に突出すると、左右の前記アーム１３は前方に回動し、これに伴い伝動ケース１０が下方に回動して、機体が上昇する。反対に、昇降用油圧シリンダのピストンロッドが機体前方に移動してシリンダ内に引っ込むと、左右の前記アーム１３は前方に回動し、これに伴い伝動ケース１０が上方に回動して、機体が下降する。この昇降用油圧シリンダは、畝面に接地して機体と畝面との上下間隔の変動にともなって動作するセンサー１４によって作動する。センサー１４の動作は機体に対する畝上面高さを検出する動作となり、そのセンサー１４の検出動作に基づいて機体を畝上面高さに対して設定高さになるよう昇降用油圧シリンダが作動するよう構成している。また、操縦ハンドル２近傍に配置した植付・昇降操作具１５の人為操作によって機体を上昇或は下降させるよう昇降用油圧シリンダが作動する構成ともしている。尚、この植付・昇降操作具１５は、苗植付装置５及び苗供給装置６の駆動の入切も行える構成となっている。
【００２１】
前記ローリング用アクチュエータ１１０が伸縮作動すると、そのローリング用アクチュエータ１１０と連結する左側のアーム１３が回動して、左側の後輪７のみを上下動させ、機体を左右に傾斜させる。このローリング用アクチュエータ１１０は、左右水平に対する機体の左右傾斜を検出するセンサの検出結果に基づいて機体を左右水平になるように作動するよう構成している。
【００２２】
前記左右前輪８は、エンジン３下方の左右中央位置で前後方向の軸心周りに回動自在に取り付けた横フレーム１６の左右両側部に、上下に長い縦フレーム１７を取付け、その下端部側方に固着した車軸１８に回転自在に取り付けている。従って、左右前輪８は、機体の左右中央の前後方向の軸心周りにローリング動自在となっている。横フレーム１６の左右両側部に対して縦フレーム１７を上下調節可能に設けていて、前輪８の高さ調節をすることができるようになっている。
【００２３】
前記操縦ハンドル２は、機体後部に設けていて、後輪７の車軸１２より機体後側に位置している。具体的には、ミッションケース９に前端部を固定した機体フレーム１９の後端部に取り付けている。機体フレーム１９は、機体の左右中央で後方に延び、また、前後中間部から斜め後上方に延びている。操縦ハンドル２は、機体フレーム１９の後端部から左右に後方に延びてその各後端部を操縦ハンドル２のグリップ部２ａとしている。操縦ハンドル２の左右のグリップ部２ａは、作業者がそのグリップ部２ａを楽に手で握れるように適宜高さに設定する。なお、図例ではグリップ部２ａを左右に分かれた構成としているが、操縦ハンドル２の左右の後端部を互いに左右に連結してその連結部分をグリップ部としても良い。
【００２４】
上記走行車体４は、接地して駆動回転する走行駆動部を、前後車輪を備えた四輪式の走行駆動部の構成としたものであるが、クローラー式の走行駆動部の構成とすることもできる。
【００２５】
苗植付装置５は、先端が下方に向かう植付具となるくちばし状の苗植付け体２０と、該苗植付け体２０の下端部が圃場面より上方となる位置と圃場面より下方となる位置とに苗植付け体２０を上下動させる上下動機構２１と、くちばし状の苗植付け体２０の下端部が閉じて上方から苗を受け入れて内側に苗を収容可能する閉状態と苗植付け体２０の下端部が左右に開いて内側に収容した苗を下方に放出可能する開状態とに苗植付け体２０を開閉する開閉機構とを備え、苗供給装置６は、苗を上方から受け入れて内側に苗を収容する複数の苗収容体２２と、該苗収容体２２を苗植付け体２０の上方を通過するように周回移動させる移動機構と、苗植付け体２０の上方位置で苗収容体２２の底部を開放して内側に収容した苗を落下させて苗植付け体２０に苗を供給する苗落下供給機構とを備えた苗供給装置６を備える。
【００２６】
苗植付け体２０は、上下動機構２１に装着している。前記上下動機構２１は、後部を苗植付け体２０に連結した上側と下側の昇降リンクを備えている。そして、別途設けた駆動機構からの動力で上下の昇降リンクを上下動させ、左右の苗植付け体２０が上下動する構成となっている。この上下動の上昇位置では苗植付け体２０の下端部が圃場面より上方に位置し、下降位置では苗植付け体２０の下端部が圃場面より下方に位置する。苗植付け体２０の開閉機構は、上下動機構２１の作動に連動して、苗植付け体２０が下降下端位置に達すると該苗植付け体２０の下部側を左右に開いて下方に開放状態とし、苗植付け体２０が上昇上端位置に達すると該苗植付け体２０の下部側を閉じて閉塞状態とする構成である。
【００２７】
ところで、苗植付け体２０は、植付時に土中へ突入するため、土が付着し易い。そこで、苗植付け体２０の内面から外面にかけて樹脂（ゴム等）の膜体で覆い、土の付着を低減させることができる。尚、膜体を伸縮可能な弾性のある素材で構成すると共に、苗植付け体２０の本体を構成する鉄板部分と前記膜体との間に空間部を形成すれば、苗植付け体２０が土中へ突入する度にその突入抵抗で膜体が変形し、苗植付け体２０が土中から離れると膜体が元の形状に復帰する如く、膜体の形状が逐次変化することで付着する土を脱落させることができる。また、前記空間部に油を充填し、膜体の表面に徐々に油分が染み出る構成とすれば、膜体の表面の撥水効果が高まり、更なる土の付着防止が図れる。尚、膜体は、樹脂（ゴム等）の液剤に苗植付け体２０を浸して付着させ固化させることで成形するディッピング加工により製造することができる。
【００２８】
苗供給装置６は、上下に開口する筒状体と該筒状体の下側の開口部を開閉する底蓋とを有し互いにループ状に連結する複数の苗収容体２２と、該苗収容体２２を前記苗植付け体２０の上方近傍を通過する状態で機体平面視左右に長い長円形状のループ状の軌跡で左回りに周回動させる移動機構と、前記苗収容体２２の底蓋を苗植付け体２０の上方位置で開放する開放機構を設けた構成である。この苗供給装置６は、前記苗収容体２２の外周に円筒外周部を形成し、該円筒外周部に外側から回動自在に係合する係合部を有して二つの苗収容体２２を連結する連結体を複数設け、該連結体の係合部を苗収容体２２の円筒外周部に回動自在に係合し該円筒外周部を回動軸として隣の苗収容体２２が回動自在に連結する状態として複数の苗収容体２２を互いに連結した構成としている。即ち、苗収容体２２と連結体とで無端チェーンのように連結した構成である。これにより、苗収容体２２は、直線的に移動する部分２８でも円弧状に移動する部分２９でも隣接する苗収容体２２との間隔が変わらないので、苗収容体２２から苗植付け体２０に苗を供給する個所で苗収容体２２が苗植付け体２０に対して位置ズレが生じにくくなり苗供給が適正に行われて適確な苗の移植ができる。苗収容体２２の個数と周回動する範囲を設定したうえで、苗収容体２２の上側開口部を可能な限り広く形成できて、機体のコンパクト化を図りつつ苗収容体２２への苗補給作業をできるだけ容易に行えるものとなる。
【００２９】
苗供給装置６の回転は、無端チェーンのように互いに連結する苗収容体２２を左右に設けたスプロケットの外周の円弧状切欠部に係合させて巻き掛け、この左右のスプロケットを駆動回転することにより、各苗収容体２２を周回動させる構成としている。
【００３０】
苗収容体２２が周回する周回移動経路は、平面視で左右方向に延びる直線状部分２８とスプロケットにより前記直線状部分２８から前側又は後側に円弧状に曲がる円弧状部分２９とを備えた長円状であり、左右の後輪７より機体内側に配置している。また、苗植付け体２０は、後輪７の車軸１２位置より後側に配置している。
【００３１】
苗収容体２２の底蓋が開くタイミングは、苗植付け体２０が概ね苗収容体２２の直下位置へ上昇したときとなるように調整しておく。また、上記構成に代えて、苗植付け体２０が概ね苗収容体２２の直下まで上昇したときに、苗植付け体２０に設けた開放作動部材が、苗植付け体２０の上方に位置する苗収容体２２の底蓋が開くのを規制する規制手段を規制解除動作させる構成も採用できる。
【００３２】
また、苗移植機は、苗植付け体２０が植付けた苗に対して覆土鎮圧するための鎮圧具となる覆土鎮圧輪３７を、各条の苗植付け体２０の苗植付け個所の後方左右両側近傍位置に設けている。この覆土鎮圧輪３７は、転動輪であって、機体に固定された取付部材２５に左右方向の回動支点軸３８回りに各植付条ごとに独立して上下回動自在に取り付けられた鎮圧具支持フレームとなる覆土鎮圧輪支持フレ−ム３９の回動先端側（後側）に取り付けられている。覆土鎮圧輪支持フレ−ム３９は、パイプフレ−ムを適宜折り曲げて構成されている。この覆土鎮圧輪支持フレ−ム３９の後端部には上下方向に延びるロッド４０の下端を連結している。
【００３３】
一方、上下に湾曲する機体フレーム１９の概ね最下部には、スタンド支持アーム７４ｅを固着して設けており、スタンド支持アーム７４ｅによりスタンド７７ａを支持する構成となっている。スタンド７７ａは、先端部に設けた接地部となる接地棒７７ｃに左右支持杆７７ｄの先端部を溶接固着し、該左右支持杆７７ｄの基部に設けた長穴７７ｅを左右スタンド支持部７７ｂ間に亘って設けた左右方向の回動軸７７ｆに嵌めて、スタンド７７ａを回動軸７７ｆ回りに回動自在に設けている。そして、左右スタンド支持部７７ｂの下方位置に支持用係合切欠き溝７７ｇと後方位置に収納用係合切欠き溝７７ｈとを設け、スタンド７７ａ上部に設けた前記長穴７７ｅよりも先端側には該支持用係合切欠き溝７７ｇ及び収納用係合切欠き溝７７ｈに係合する係合軸７７ｉを設け、回動軸７７ｆよりも上方に設けたバネ受け軸７７ｊと係合軸７７ｉの間に引張バネ７７ｋを設けて、該引張バネ７７ｋの引張力で係合軸７７ｉが支持用係合切欠き溝７７ｇ及び収納用係合切欠き溝７７ｈに係合した状態を維持できる構成となっている。
【００３４】
そして、係合軸７７ｉが支持用係合切欠き溝７７ｇに係合した状態では、スタンド７７ａの先端は機体下方に向いており、接地棒７７ｃが接地して機体を支持する作用状態になっている。この作用状態で、植付・昇降操作具１５を操作して昇降用油圧シリンダを作動させて左右の後輪７を接地しない位置まで上昇させれば、後輪７のトレッド調節が容易に行える。また、機体をトラックの荷台等に載せて移動させる場合にも、スタンド７７ａを作用状態にしておくと、昇降用油圧シリンダの油圧リークによる機体の下降を防止でき、安定してスタンド７７ａにより機体を支持できる。一方、係合軸７７ｉが支持用係合切欠き溝７７ｇから外れるまで、引張バネ７７ｋの引張力に抗して、スタンド７７ａを持って引張って後方上方に回動させて手放すと、引張バネ７７ｋの引張力で係合軸７７ｉが収納用係合切欠き溝７７ｈに係合して、スタンド７７ａが対地浮上して機体上方に収納された収納状態になる。この収納状態では、スタンド７７ａが機体上方に収納されているので、移植作業の邪魔にならず良好な移植作業が行える。このように、スタンド７７ａの作用状態と収納状態との切替がワンタッチで容易に行えて作業性が良い。
【００３５】
そして、スタンド７７ａの収納状態で、接地棒７７ｃは、右端が左右中央の右側条の鎮圧具支持フレーム３９（鎮圧具支持フレーム３９の左側部分）の下方に位置し、左端が左最外条の鎮圧具支持フレーム３９（鎮圧具支持フレーム３９の右側部分）の下方に位置しており、左右方向に長い構成となっている。従って、接地棒７７ｃは、右最外条の鎮圧具支持フレーム３９の下方には位置しない構成となっている。尚、図６において、左右外側条の覆土鎮圧輪３７の位置を左右中央条の覆土鎮圧輪３７の位置よりも前側に変更調節した図例を示したが、通常は、全条の覆土鎮圧輪３７が同じ前後位置に調節する。
【００３６】
苗移植機１には、苗供給装置６に苗を補給する作業者が乗車して苗補給作業が行うべく、作業者が座る作業者用座席４６を設けている。具体的には、苗供給装置６の前側となる機体左右中央位置に後向きに作業者用座席４６を配置している。この座席４６に座る作業者は、苗供給装置６の前側部に向って後側向き姿勢で着座して、苗供給装置６の前側部、特に苗収容体２２の周回移動経路における前側の直線状部分２８に対して苗補給作業を行う。また、苗移植機は、畝溝を走行する後輪７の後側で機体後部に設けた操縦ハンドル２の左右方向外側に、作業者が立って前に歩きながら苗供給装置６の後側部に苗を補給する作業を可能とする作業空間Ｗを形成しており、この作業空間Ｗに立つ作業者から苗供給装置６の後側部に対して苗補給作業を行うこともできる。なお、座席４６を載せて支持する略水平方向に延びる座席フレーム４７を設け、座席４６は前記座席フレーム４７に対して後側の回動支点軸回りに後方へ回動できる構成となっており、前記座席フレーム４７よりその近傍に位置する燃料タンクの給油キャップ４８が低い位置にある。これにより、燃料タンクに燃料を補給するときは、座席４６を後方へ回動させ、座席フレーム４７に燃料を収容する補給タンク等を置いて、手動ポンプ等により容易に燃料タンクへ燃料を補給することができる。
【００３７】
そして、座席４６に着座する作業者用の反射鏡１１１を、苗供給装置６を挟んで、座席４６がある側と反対側で、ステップ４９と同じ左右位置又はステップ４９よりも機体左右方向で外側位置に設ける。このような構成により、苗移植機をコンパクトな構成としながら、座席４６に着座する作業者が、座席４６の側方の後述するステップ４９の上方の空間を介して機体前方の様子を反射鏡１１１に映して見ることができ、作業者の視界を良好にすることができる。これにより作業者が振り向いて背後を確認する動作を省略でき、作業能率が向上する。
【００３８】
作業者用座席４６の後側及び左右両側には、ステップ４９を設けている。このステップ４９は、機体側面視で作業者用座席４６の下方位置から前輪８の上方位置すなわち機体前端近傍にわたって延設している。従って、作業者は、機体前方から該ステップ４９に乗降することができる。後輪７は大径車輪で、前輪８は小径車輪であり、機体側面視で、この小径車輪の前輪８の上方にステップ４９の前側部分が位置するように設けている。
【００３９】
ステップ４９の機体外側には、苗植付装置５へ供給する液剤のタンクＴを備えるタンク載置台１０５を設ける。液剤は主に苗植付装置５が苗を植付ける際に供給する灌水であるが、液体肥料などを含む。タンクＴは左右に２個ずつ載置できるようにし、タンク載置台１０５と後述する容器支持部１０１とが平面視で重複するように配置する。平面視で重複するとは、一部が重複するものを含む。
【００４０】
苗移植機の走行車体４に、座席４６と苗供給装置６とを前後に位置させ、座席４６の左右側方には、ステップ４９とタンク載置台１０５とをこの順に設け、このタンク載置台１０５と容器支持部１０１とが平面視で重複する構成としたことにより、複数の液剤用のタンクＴを装着しながら、苗移植機をコンパクトに構成できる。また、苗供給装置６から走行車体４の前後端部に亘る前後方向のステップ４９を設けたことにより、作業者の乗降性がよくなる。
【００４１】
玉ねぎなど葉茎菜類の裸苗を植付ける苗移植機では、植付準備段階で苗をコンテナ等の苗収容用の容器Ｃに入れ、その容器をそのまま苗移植機の容器支持部１０１へ装備し、この容器から直接作業者が苗を苗供給部装置６へ供給する。容器支持部１０１は、座席４６の左右外側方に設けられている。容器支持部１０１は、容器Ｃの側面を保持する側面保持部１０２と、容器の底面を保持する底面保持部１０３とにより構成する。側面保持部１０２と底面保持部１０３とは正面視で略垂直に構成する。そして底面保持部１０３を作業者側に向けて下り傾斜姿勢の平板形状に構成することで、上方が開口した直方体状の容器Ｃの開口部が作業者側に向く傾斜姿勢となる。
【００４２】
容器支持部１０１を、容器Ｃの側面を保持する側面保持部１０２と、容器Ｃの底面を保持する底面保持部１０３とにより構成することにより、平板状の底面保持部１０３で容器Ｃの重量を受ける構成となり、容器Ｃの側面孔に容器重量の作用する割合が少なくなる。これにより容器Ｃが破損することが少なくなる。また、容器重量が作用する底面保持部１０３は、容器支持部１０１の下部となるので、容器支持部１０１をより堅固な構成とすることができる。加えて、容器（Ｃ）が傾斜姿勢で保持されるので、作業者が苗を取り出すのが容易になる。
【００４３】
側面保持部１０２は１本のパイプフレームを歪曲し、側面視で逆Ｕ字型を形成するように構成する（図１参照）。このパイプフレームよりなる側面保持部１０２を途中で作業者側に折り曲げ、折り曲げた箇所より下の部分を、容器Ｃの側面に沿って上方へ延びる外方部分１０２ａとし、折り曲げた箇所より上の部分を、外方部分１０２ａから延伸する側面孔挿入部分１０２ｂとする。折り曲げる前は、外方部分１０２ａと側面孔挿入部分１０２ｂがなす角θは１８０度であるが、折り曲げることにより側面孔挿入部分１０２ｂが、外方部分１０２ａとのなす角度θを鈍角とするように構成する。この側面孔挿入部分１０２ｂは、コンテナ等の容器Ｃの持ち運び用に設ける側面孔に挿入できる形状とする。
【００４４】
容器支持部１０１の下方には、容器支持部１０１のパイプフレームを固定する水平回動バー１１３を設け、この水平回動バー１１３は、鉛直な上下方向の容器回動軸１０４を中心にして回動可能な構成である。容器支持部１０１は、作業者が苗供給装置６に苗を供給する場合の作業位置（図２に示す位置）と、容器Ｃを苗移植機に装備する装備位置との間で回動する。ここで装備位置は、図２に示す位置から、容器回動軸１０４を中心として１８０度回転した位置を言い、この位置まで容器支持部１０１を回動させると、作業者の乗降が容易になる。また、このとき容器支持部１０１の底面保持部１０３は、機体外方へ向けて下り傾斜姿勢となる。
【００４５】
容器支持部１０１が容器Ｃの装備位置にあるときに、容器支持部１０１の底面保持部１０３が、機体外方へ向けて下り傾斜姿勢であることにより、容器Ｃを容器支持部１０１へ装着する作業が容易になり、作業能率が向上する。
【００４６】
機体平面視で苗収容体２２の周回経路の内側には、予備の苗を収容可能な予備苗収容容器５０を設けている。予備苗収容容器５０は、底板を備えると共に、苗収容体２２の周回経路に沿う外縁に苗の収容スペースを囲む外周壁５０ａを備えている。作業者は、容器支持部１０１に支持された容器Ｃから直接苗供給装置６の苗収容体２２へ苗を補給してもよいが、容器Ｃから複数の苗をまとめて一旦苗収容体２２近くの予備苗収容容器５０へ供給し、予備苗収容容器５０から苗を一株ずつ苗収容体２２へ補給することにより、苗補給を容易に行うことができる。また、予備苗収容容器５０には、苗の根を切断処理する切断装置５１を設けている。予備苗収容容器５０の前側（座席４６側）の外周壁５０ａ部分には、機体の前後方向へ向けた姿勢の苗を斜め下方に挿入し得る切欠き溝で構成される保持部５２を形成している。従って、保持部５２を構成する格別の部品等がなく、予備苗収容容器５０の外周壁５０ａにより保持部５２を構成し、コストダウンを図っている。前記切欠き溝は、外周壁５０ａの上端部に形成された上部に比較して下部が左右水平に近い方向に向くと共に、奥へいくほど溝幅が狭くなっており、細い苗でも切欠き溝の奥へ挿入することで保持でき、苗の太さに拘らず苗を保持できる。
【００４７】
切断装置５１は、外周壁５０ａの内面に沿って下動することにより保持部５２で保持された苗を切断する切断刃５３と、切断刃５３に一体で取り付けられた切断刃５３を作動させる切断操作具となる切断操作レバー５４とを備えている。尚、切断操作レバー５４は、外周壁５０ａ部分に設けた切断刃回動支点軸５５から上側に突出しており、左右方向に回動操作することにより切断刃５３を一体で回動させて上下動させる構成となっている。従って、切断刃５３を、下側が刃先面となる状態で保持部５２を構成する切欠き溝の上側から下側へ通過させることにより、苗の根を切断する。これにより、根が残っている苗があるときは、切断装置５１で根を除去してから苗収容体２２へ苗を補給できるので、根が干渉することにより苗収容体２２ひいては苗植付け体２０の内部で苗の姿勢が不適正になることを防止でき、苗の植付を適正に行える。無論、既に根を切除した苗や根が極めて短い苗等、根を切断する必要のないときは、切断装置５１による苗の切断処理を行わずに苗を補給すればよい。尚、苗の丈が長すぎる場合、切断装置５１により苗の上端部を切除して苗の長さを所望に揃え、苗の植付の適正化を図ることもできる。
【００４８】
また、切断刃５３が上動する側の切断操作レバー５４の操作を規制する操作規制具となる操作規制ピン５６を、外周壁５０ａの内面側に固着して設けている。尚、切断刃５３及び切断操作レバー５４は、切断刃回動支点軸５５部分に設けた捩り式のスプリングにより、切断刃５３が上動する側に付勢され、切断操作レバー５４から手を放した状態では、切断操作レバー５４が操作規制ピン５６に接触した状態（切断刃５３が最上昇した状態）となり、切断刃５３が外周壁５０ａの上端よりも下側で且つ保持部５２を構成する切欠き溝よりも上側に位置する。従って、切断刃５３の下端縁となる刃先面は、切断刃５３の上下動に拘らず外周壁５０ａの上端よりも上側に突出しない構成となっている。
【００４９】
保持部５２に苗を保持させるとき、切除する部分が予備苗収容容器５０の外側（機体前側）に位置し、残す部分が予備苗収容容器５０の内側（機体後側）に位置するべく、苗の前後向きを決定すれば、切断処理にて、機体の空間部を通過させて苗の切除する部分を圃場に落とすことができ、苗の残す部分はそのまま予備苗収容容器５０に収容され、作業性が向上する。尚、苗の切除した部分を、圃場に落とすのではなく、別途設ける回収容器で受けて回収する構成としてもよい。
【００５０】
また、座席に着席する作業者が苗移植機の動力の入り切りをするクラッチを操作できる主クラッチペダル１０６を、ステップ４９上であって、走行機体２の左右一方向に偏倚して設ける。この際ステップ４９のペダル孔１０７と主クラッチペダル１０６との間には、主クラッチペダル１０６を踏み込んだ際に、主クラッチペダル１０６の上下操作速度を緩和するグロメット１０８を設ける。
【００５１】
主クラッチペダル１０６とペダル孔１０７との間に、この主クラッチペダル１０６の上下操作速度を緩和するグロメット１０８を設けたことにより、主クラッチペダル１０６の操作荷重を適切に得ることができ、適切な速度で主クラッチペダル１０６を操作できる。
【００５２】
また主クラッチペダル１０６を、ステップ４９上の走行機体２の左右一方向に偏倚して設けることにより、走行車体２中央に設けた座席４６に着席する作業者が、容易に主クラッチペダル１０６を足で操作できる。
【００５３】
主クラッチペダル１０６は、クラッチ操作部１１２と金属ワイヤである連繋機構１０９によってステップ４９の下方で連繋しており、クラッチ操作部１１２は主クラッチペダル１０６よりも走行車体４の中央よりに設けているので、連繋機構１０９は、走行車体４の前後軸に対して斜めに配置するようになる。この連繋機構１０９をローリング用アクチュエータ１１０の上方に位置するようにする。ローリングアクチュエータ１１０は、走行車体４中央近辺に配置されるが、このように配置することにより連繋機構１０９とローリング用アクチュエータ１１０との干渉を避けることができ、苗移植機をコンパクトに構成することができる。
【００５４】
また、苗供給装置６の下方位置となるステップ４９の後部を後上がりの傾斜面とし、この傾斜面から斜め前上方へ突出させてアクセルレバーを設け、アクセルレバーによりエンジン３の回転数を変更操作する構成となっている。アクセルレバーの前端部には、該アクセルレバーから斜め前下方に屈曲して延びるアクセルペダルを固着して設けており、アクセルべダルを足で操作してエンジン３の回転数を変更することもできる。これにより、作業者は、苗収容体２２への苗補給作業をしながらアクセルペダルを足で操作でき、作業性及び操作性が向上する。
【００５５】
尚、エンジン３の端部のリコイルケース（リコイル及び冷却ファンを収容するケース）にパンチングメタル等で直径２ｍｍ程度の孔を有し開口率が５０％程度の部材を用いることができる。これにより、リコイルケース内への吸気性を維持しながら、リコイルケース内への枯れ苗や苗の表皮を含む塵芥の侵入を防止でき、エンジン３の冷却効果も所望に維持できる。また、リコイルケースの外側（又は上側）にフィルタを設けることもできる。吸気スリットよりも細かいフィルタを設けたことにより塵埃の侵入を防止できる。なお、フィルタは、着脱可能に設けるとよい。
【００５６】
以上により、この移植機は、圃場に移植物を植え付ける植付具（２０）を左右に３個以上の複数条分配列し、植付具（２０）で植え付けた移植物の周辺の土壌を鎮圧する鎮圧具（３７）と、鎮圧具（３７）を上下動自在に支持する鎮圧具支持フレーム（３９）とを、植付具（２０）に対応して左右に複数条分配列し、接地部（７７ｃ）を下降させて接地させた機体を支持する作用状態と接地部（７７ｃ）を上昇させて対地浮上させた収納状態とに切替可能なスタンド（７７ａ）を設け、接地部（７７ｃ）は、前記収納状態で左右中央条の鎮圧具支持フレーム（３９）の下方位置から左右一方の最外条の鎮圧具支持フレーム（３９）の下方位置にわたる左右方向に長い構成としている。
【００５７】
よって、接地部（７７ｃ）を少なくとも左右中央条の位置に配置することにより、スタンド（７７ａ）が機体の重心近くの左右位置で確実に機体を支持できる構成としながら、スタンド（７７ａ）の収納状態で接地部（７７ｃ）が左右一方の最外条の鎮圧具支持フレーム（３９）の下方位置にわたるので、作業者は、機体の前記左右一方側から接地部（７７ｃ）を操作してスタンド（７７ａ）を作用状態に容易に切り替えることができ、作業能率の向上が図れる。
【００５８】
また、接地部（７７ｃ）は、前記収納状態で左右他方の最外条の鎮圧具支持フレーム（３９）の下方には位置しない構成としている。よって、接地部（７７ｃ）が左右方向に長くなりすぎないので、スタンド（７７ａ）による機体の支持が地面の凹凸等によりかえって不安定になることを防止できる。
【００５９】
また、植付具（２０）へ移植物として苗を供給する苗供給装置（６）を設け、苗供給装置（６）は、ループ状に連結される複数の苗収容体（２２）と、苗収容体（２２）を周回させる移動機構と、植付具（２０）の上方位置で苗収容体（２２）の底部を開放して苗を落下供給する開放機構とを備え、機体平面視で複数の苗収容体（２２）の周回経路の内側には、予備の苗を収容可能な予備苗収容容器（５０）を設け、予備苗収容容器（５０）には、苗を切断処理する切断装置（５１）を設けている。
【００６０】
よって、苗収容体（２２）の近くに配置された予備苗収容容器（５０）及び切断装置（５１）により苗を切断処理して苗収容体（２２）へ容易に補給できるので、苗切断処理作業性及び苗補給作業性が向上し、移植作業能率の向上が図れる。
【００６１】
また、予備苗収容容器（５０）は、苗の収容スペースを囲む外周壁（５０ａ）を備え、外周壁（５０ａ）部分に切断装置（５１）で切断処理する苗を保持する保持部（５２）を設け、切断装置（５１）は、保持部（５２）で保持された苗を切断する切断刃（５３）と、切断刃（５３）を作動させる切断操作具（５４）とを備え、切断刃（５３）の刃先は、切断刃（５３）の作動状態に拘らず外周壁（５０ａ）の上端よりも上側に突出しない構成としている。
【００６２】
よって、苗切断処理作業や苗収容体（２２）へ苗補給作業において、切断刃（５３）により作業者が怪我をすることが防止され、作業の安全性が向上する。
【図１】
2014147316.tif 000003
【図２】
2014147316.tif 000004
【図３】
2014147316.tif 000005
【図４】
2014147316.tif 000006
【図５】
2014147316.tif 000007
【図６】
2014147316.tif 000008
【図７】
2014147316.tif 000009
【図８】
2014147316.tif 000010